(57)【要約】【課題】バラスト水をオゾンを用いて処理する処理装置を、バラスト水に対して常に安定して所定濃度のオゾンを混入できるように起動させ、バラスト水中の水生生物や細菌類を効果的に殺滅あるいは除去する。【解決手段】バラスト水をバラスト水系配管を介してバラストタンク２に移送するバラストポンプ４と、バラスト水中にオゾン発生装置５で生成されたオゾンを混入させるオゾン混合装置７と、バラスト水中の水生生物や細菌類を剪断力によって破壊する複数のスリット状の開口を有するスリット板８とを有し、オゾン発生装置５で生成するオゾン濃度を検出するオゾン濃度検出部１１を有し、該オゾン濃度検出部１１で得られたオゾン濃度を入力し、該入力されたオゾン濃度が規定濃度に至っているか否か判断し、規定濃度に至っていない場合にはオゾン混合装置７にオゾンを供給しない制御を行う制御部１４を有するバラスト水処理装置の起動制御システム。【選択図】        図１
2008200590.tif 000002
【特許請求の範囲】
【請求項１】
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部を有し、該オゾン濃度検出部で得られたオゾン濃度を入力し、該入力されたオゾン濃度が規定濃度に至っているか否か判断し、規定濃度に至っていない場合には前記オゾン混合装置にオゾンを供給しない制御を行う制御部を有することを特徴とするバラスト水処理装置の起動制御システム。
【請求項２】
前記制御部は、前記オゾン混合装置に供給されないオゾンを排オゾン分解塔に送り、分解処理して外部に排出する制御を行うことを特徴とする請求項１記載のバラスト水処理装置の起動制御システム。
【請求項３】
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部（I）をオゾン供給ラインに設け、且つオゾン混合装置からスリット板に至るバラスト水中のオゾン濃度を検出するオゾン濃度検出部(II)を設け、
該オゾン濃度検出部（I）で得られたオゾン濃度を入力し、該入力されたオゾン濃度が規定濃度に至っているか否か判断し、規定濃度に至っている場合には前記オゾン混合装置にオゾンを供給し、
前記オゾン濃度検出部(II)で得られたオゾン濃度を入力し、該入力されたオゾン濃度が規定濃度に至っているか否か判断し、規定濃度に至っていない場合には前記オゾン混合装置以降のバラスト水を前記バラストタンクへ送らずに該オゾン混合装置の手前で、且つ前記バラストポンプの入口側のラインに返送する制御を行う制御部を有することを特徴とするバラスト水処理装置の起動制御システム。
【請求項４】
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部（I）をオゾン供給ラインに設け、
該オゾン濃度検出部（I）で得られたオゾン濃度を入力し、該入力されたオゾン濃度が規定濃度に至っているか否か判断し、規定濃度に至っている場合には前記オゾン混合装置にオゾンを供給し、且つ前記オゾン混合装置にオゾンを供給後、規定時間経過するまでは前記オゾン混合装置以降のバラスト水を前記バラストタンクへ送らずに該オゾン混合装置の手前で、且つ前記バラストポンプの入口側のラインに返送する制御を行う制御部を有することを特徴とするバラスト水処理装置の起動制御システム。
【請求項５】
前記オゾン混合装置によってオゾンが混入されたバラスト水を複数のスリット状の開口を有する前記スリット板を通過させることを特徴とする請求項１〜４の何れかに記載のバラスト水処理装置の起動制御システム。
【発明の詳細な説明】
【技術分野】
【０００１】
本発明は、バラスト水処理装置の起動制御システムに関し、詳しくは、バラスト水に対して常に安定して所定濃度のオゾンを混入できるように起動させ、バラスト水中の水生生物や細菌類を効果的に殺滅あるいは除去することのできるバラスト水処理装置の起動制御システムに関する。
【背景技術】
【０００２】
原油やコンテナ等を輸送する貨物用船舶には、航行時の船体の安定性を保つためにバラストタンクが設けられている。通常、原油等が積載されていないときには、バラストタンク内をバラスト水で満たし、原油やコンテナ等を積み込む際にバラスト水を排出することにより、船体の浮力を調整し、船体を安定化させている。
【０００３】
このようにバラスト水は、船舶の安全な航行のために必要な水であり、通常、荷役を行う港湾の海水が利用される。その量は、世界的にみると年間３０〜４０億トンと推計されている。
【０００４】
ところで、バラスト水中には、それを取水した港湾に生息する水生生物や細菌類が混入しており、船舶の移動に伴い、これら水生生物や細菌類が同時に異国に運ばれることになる。
【０００５】
従って、もともとその海域には生息していなかった生物種が、既存生物種に取って代わるといった生態系の破壊が深刻化している。
【０００６】
このような背景の中、国際海事機関（ＩＭＯ）の外交会議において、船舶のバラスト水及び沈殿物の規制及び管理のための条約（以下、条約という）が採択され、バラスト水処理装置を用いたバラスト水管理の実施義務が２００９年以降の建造船から適用される予定となっている。
【０００７】
また、条約によりバラスト水の排出基準は、以下の表１に示すように定められている。
【０００８】
【表１】
2008200590.tif 000003
【０００９】
以上のような背景から、上記のような問題を解決できるバラスト水の処理技術の開発が急務となっている。
【００１０】
従来、水生生物や細菌類を含むバラスト水を物理的に処理する手法としては、バラスト水に対してオゾンガスを注入することにより、殺菌あるいは除菌する技術が特許文献１に開示されている。
【００１１】
また、特許文献２、３には、オゾン水のオゾン濃度を制御する技術が開示されている。
【特許文献１】特開２００４−１６０４３７号公報
【特許文献２】特開平６−１３４０２３号公報
【特許文献３】特開２００５−１６１２８４号公報
【発明の開示】
【発明が解決しようとする課題】
【００１２】
オゾンを用いてバラスト水を処理する場合、バラスト水のオゾン濃度を、水生生物や細菌類を殺滅あるいは除去するのに必要なオゾン濃度とする必要がある。
【００１３】
もし、バラスト水中のオゾン濃度が低すぎると、処理しきれずにバラスト水中で生き残った水生生物や細菌類がバラスト水の排出時に海に流出し、その海域の生態系を破壊するおそれがある。従って、上記条約により、バラスト水の排出が不可能になって、出航することはおろか、原油やコンテナ等の貨物を積載することすらできなくなり、船舶会社にとって多大な損失となる問題がある。特に、原油等の生活に必要不可欠な貨物を輸送する船舶が出航できなくなることは、社会全体に重大な影響を及ぼし兼ねない。
【００１４】
しかしながら、バラスト水を処理するためにオゾン発生装置を起動させ、生成されたオゾンをバラスト水中に混入させても、起動当初から必要濃度のオゾンが生成できるとはかぎらないため、バラスト水が所定のオゾン濃度にならずに水生生物や細菌類を殺滅あるいは除去しきれない懸念がある。
【００１５】
そこで本発明は、バラスト水をオゾンを用いて処理する処理装置を、バラスト水に対して常に安定して所定濃度のオゾンを混入できるように起動させることにより、バラスト水中の水生生物や細菌類を効果的に殺滅あるいは除去することのできるバラスト水処理装置の起動制御システムを提供することを課題とする。
【００１６】
本発明の他の課題は、以下の記載により明らかとなる。
【課題を解決するための手段】
【００１７】
上記課題は、以下の各発明によって解決される。
【００１８】
（請求項１）
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部を有し、該オゾン濃度検出部で得られたオゾン濃度を入力し、該入力されたオゾン濃度が規定濃度に至っているか否か判断し、規定濃度に至っていない場合には前記オゾン混合装置にオゾンを供給しない制御を行う制御部を有することを特徴とするバラスト水処理装置の起動制御システム。
【００１９】
（請求項２）
前記制御部は、前記オゾン混合装置に供給されないオゾンを排オゾン分解塔に送り、分解処理して外部に排出する制御を行うことを特徴とする請求項１記載のバラスト水処理装置の起動制御システム。
【００２０】
（請求項３）
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部（I）をオゾン供給ラインに設け、且つオゾン混合装置からスリット板に至るバラスト水中のオゾン濃度を検出するオゾン濃度検出部(II)を設け、
該オゾン濃度検出部（I）で得られたオゾン濃度を入力し、該入力されたオゾン濃度が規定濃度に至っているか否か判断し、規定濃度に至っている場合には前記オゾン混合装置にオゾンを供給し、
前記オゾン濃度検出部(II)で得られたオゾン濃度を入力し、該入力されたオゾン濃度が規定濃度に至っているか否か判断し、規定濃度に至っていない場合には前記オゾン混合装置以降のバラスト水を前記バラストタンクへ送らずに該オゾン混合装置の手前で、且つ前記バラストポンプの入口側のラインに返送する制御を行う制御部を有することを特徴とするバラスト水処理装置の起動制御システム。
【００２１】
（請求項４）
船舶内に設置されたバラスト水処理装置の起動制御システムであって、
前記バラスト水処理装置は、バラスト水をバラスト水系配管を介してバラストタンクに移送するバラストポンプと、バラスト水中にオゾン発生装置によって生成されたオゾンを混入させるオゾン混合装置と、バラスト水中の水生生物や細菌類を剪断力によって破壊するための複数のスリット状の開口を有するスリット板とを有し、
前記オゾン発生装置で生成するオゾン濃度を検出するオゾン濃度検出部（I）をオゾン供給ラインに設け、
該オゾン濃度検出部（I）で得られたオゾン濃度を入力し、該入力されたオゾン濃度が規定濃度に至っているか否か判断し、規定濃度に至っている場合には前記オゾン混合装置にオゾンを供給し、且つ前記オゾン混合装置にオゾンを供給後、規定時間経過するまでは前記オゾン混合装置以降のバラスト水を前記バラストタンクへ送らずに該オゾン混合装置の手前で、且つ前記バラストポンプの入口側のラインに返送する制御を行う制御部を有することを特徴とするバラスト水処理装置の起動制御システム。
【００２２】
（請求項５）
前記オゾン混合装置によってオゾンが混入されたバラスト水を複数のスリット状の開口を有する前記スリット板を通過させることを特徴とする請求項１〜４の何れかに記載のバラスト水処理装置の起動制御システム。
【発明の効果】
【００２３】
本発明によれば、バラスト水をオゾンを用いて処理する処理装置を、バラスト水に対して常に安定して所定濃度のオゾンを混入できるように起動させることにより、バラスト水中の水生生物や細菌類を効果的に殺滅あるいは除去することのできるバラスト水処理装置の起動制御システムを提供することができる。
【発明を実施するための最良の形態】
【００２４】
以下、本発明の実施の形態について図面を用いて説明する。
【００２５】
図１は、バラスト水処理装置を有するバラスト水系配管の第１の実施形態を示す概略構成図である。図中、１は船体、２は該船体１内に設けられたバラストタンク、３はバラストタンク２にバラスト水を移送（注水）する主配管、４はバラスト水を取水するバラストポンプ、５はオゾンを生成するオゾン発生装置、６はオゾン発生装置５で生成されたオゾンを供給するオゾン供給ライン、７はバラスト水中にオゾン発生装置５で生成されたオゾンを混入させるオゾン混合装置、８はバラスト水中の水生生物や細菌類を剪断力によって破壊するためのスリット板、９は排オゾンを分解するための排オゾン分解塔、１０は排オゾンを排オゾン分解塔９に移送するための排オゾンライン、１１はオゾン発生装置５で生成されたオゾン濃度を検出するためのオゾン濃度検出部、１２はオゾン供給ライン６に設けられた開閉弁、１３は排オゾンライン１０に設けられた開閉弁、１４はオゾン濃度検出部１１の検出結果を入力し、バラストポンプ４、開閉弁１２、１３をそれぞれ制御する制御部である。
【００２６】
なお、図１では、バラストタンク２は１つだけ示されているが、通常、バラストタンク２は船体１内に複数設けられ、各バラストタンク２内にそれぞれ主配管３によってバラスト水が移送される。
【００２７】
バラストタンク２には、船底部付近に設けられたシーチェスト（図示せず）から、バラストポンプ４の運転によってバラスト水が取り込まれる。本発明においてバラスト水処理装置による処理対象となるバラスト水には、例えば海水、淡水等が用いられ、本発明では海水が好ましく使用される。かかるバラスト水には、動物プランクトン、植物プランクトン、微生物等の水生生物や、大腸菌等の細菌類を含む。
【００２８】
バラストポンプ４によって取水されたバラスト水は、主配管３を通ってバラストタンク２に移送される。この主配管３途中に、バラスト水処理装置によってオゾンが注入され、バラスト水の処理が行われる。
【００２９】
オゾン混合装置７は、バラストポンプ４によって取水されたバラスト水に、オゾン発生装置５によって生成されたオゾンを混入させる。
【００３０】
オゾン発生装置５は、コンプレッサー５１、酸素発生器５２及びオゾン発生器５３を有しており、酸素発生器５２及びオゾン発生器５３を経て生成されたオゾンが、コンプレッサー５１によってオゾン供給ライン６を介してオゾン混合装置７に供給される。
【００３１】
このオゾン混合装置７は、主配管３を移送されるバラスト水とオゾンもしくはオゾンと酸素の混合気体とを気液混合する気液混合装置（オゾンインジェクター）を用いた例を示しているが、バラスト水中に所定濃度のオゾンを混入させることができるものであれば特に問わない。例えば、スタティックミキサー、ラインミキサーなどの静的混合機を使用することもできる。
【００３２】
スリット板８は、オゾン混合装置７によってオゾンが混入されたバラスト水を高圧で通過させることにより、バラスト水中の水生生物や細菌類を剪断力によって破壊する。
【００３３】
このスリット板８の詳細を図２、図３に示す。
【００３４】
図２は、主配管３内のスリット板８を示す断面図、図３は、図２のIII−III線断面図であり、これらに示すように、スリット板８は主配管３の内部に、該主配管３の流路全体を塞ぐようにして配設されている。
【００３５】
スリット板８には複数のスリット状の開口８１が形成されている。開口８１の開口幅は、バラスト水中の水生生物や細菌類を剪断力によって破壊する効果が充分に発揮され得る幅に設定されるが、好ましくは２００μｍ〜５００μｍとすることである。
【００３６】
主配管３内を移送されるバラスト水は、バラストポンプ４によってこのスリット板８に向かって高圧で圧送される。圧送されたバラスト水は乱流状態のままスリット板８のスリット状の開口８１を通過しようとし、この開口８１を通過する際に剪断現象が生じることで、バラスト水中の水生生物や細菌類を破壊して殺滅する。
【００３７】
かかる剪断力による破壊、殺滅効果をより発揮させるために、スリット板８は、バラスト水の流れ方向に対して直交する方向に取り付けることが好ましい。
【００３８】
また、スリット板８は、主配管３内に密接して取り付けられるが、図示しないが、容易に取り外し可能として洗浄することができるように、フランジ等によって主配管３に介設することが好ましい。
【００３９】
スリット板８に形成される複数のスリット状の開口８１の形状は、図３に例示するように、細長い長方形状からなるものが好ましい態様として挙げられる。開口８１の本数は特に限定されず、バラスト水の圧力損失、剪断現象の発生状況に応じて適宜設定される。
【００４０】
なお、各開口８１は、図３に示すように全て同じ長さに形成してもよいが、主配管３の断面形状に合わせて、中央部の開口８１を長く、端部に行くほど短く形成してもよい。
【００４１】
また、各開口８１の形状は直線状に限らず、円弧状等の曲線状に形成してもよい。
【００４２】
更に、主配管３内に配設されるスリット板８の枚数は１枚に限らず、複数枚を間隔をおいて配設してもよい。複数枚のスリット板８を配設する場合は、各スリット板８のそれぞれの開口８１の幅、大きさ、本数、形状を異ならせることが好ましい。これにより、剪断現象をより一層効果的に発揮させることができ、バラスト水中の水生生物や細菌類の破壊、殺滅効果をより向上させることができる。
【００４３】
このようにして、主配管３内を移送されるバラスト水中の水生生物や細菌類は、バラスト水処理装置によるバラスト水中へのオゾン混入とスリット板８による剪断力とによって除去あるいは殺滅される。
【００４４】
排オゾン分解塔９は、バラスト水処理に不要な排オゾンを排オゾンライン１０から受け入れて分解処理する。この排オゾン分解塔９によって分解された処理済みガスは、船体１のデッキ上から大気中に排出される。
【００４５】
オゾン濃度検出部１１は、オゾン発生装置５によって生成されたオゾン濃度を検出するオゾン濃度計を有している。ここではオゾン発生装置５で生成されたオゾンをオゾン混合装置７に供給するためのオゾン供給ライン６中でオゾン濃度を検出するようにしているが、オゾン濃度検出部１１をオゾン発生装置５内に組み込むことにより、オゾン発生装置５のオゾン発生器５３で生成された直後のオゾン濃度を検出するようにしてもよい。
【００４６】
制御部１４は、このオゾン濃度検出部１１から送られるオゾン濃度（ガス濃度）の検出信号を入力し、オゾン発生装置５によって生成されたオゾン濃度が、バラスト水を処理するのに必要な規定濃度に至っているか否かを判断する。そして、制御部１４は、このオゾン濃度の判断結果に応じて、バラストポンプ４の運転開始の可否、オゾン供給ライン６中の開閉弁１２及び排オゾンライン１０中の開閉弁１３の開閉を制御する。
【００４７】
このオゾン濃度（ガス濃度）の規定濃度は、オゾンを生成するための原料（空気、酸素ガス等）によっても異なってくるが、例えば３〜１５％のうちから選ばれることができる。
【００４８】
次に、この第１の実施形態におけるバラスト水処理装置の起動制御について、図４のフローチャートを用いて説明する。
【００４９】
バラスト水処理装置の起動は、バラストタンク２内にバラスト水を取水する際に開始される。
【００５０】
いま、バラストポンプ４は運転停止状態にある。バラストポンプ４によってバラスト水を取水するに際し、まず、オゾン発生装置５が起動開始され、コンプレッサー５１、酸素発生器５２及びオゾン発生器５３がそれぞれ駆動することによりオゾンの生成が開始される（Ｓ１）。
【００５１】
しかし、このオゾン発生装置５の起動当初は、未だオゾン生成量は十分なレベルまで達しておらず、これをオゾン混合装置７に供給してバラスト水と混合させたとしても、バラスト水中の水生生物や細菌類を殺滅するに十分なオゾン濃度のバラスト水を作り出すことはできない。
【００５２】
制御部１４は、オゾン発生装置５の起動開始直後から、オゾン濃度検出部１１から送られるオゾン濃度検出信号を監視し続け、オゾン濃度（ガス濃度）が、バラスト水を処理するのに必要な規定濃度に至っているか否かを判断している（Ｓ２）。
【００５３】
その結果、オゾン発生装置５の起動当初では、オゾン濃度は未だ規定濃度には至っていないため、制御部１４は、オゾン供給ライン６に設けられている開閉弁１２を閉状態として、オゾン混合装置７にオゾンが供給されないようにする。ここで、好ましくは、未だ低濃度のオゾンを処理するため、排オゾンライン１０に設けられている開閉弁１３を開状態とし、低濃度のオゾンを排オゾン分解塔９に移送して分解処理する（Ｓ３）。
【００５４】
この排オゾン分解塔９へのオゾンの移送制御は、オゾン濃度検出部１１の検出結果が規定濃度を超えるようになるまで継続される。
【００５５】
所定時間が経過してオゾン発生装置５によって生成されたオゾン濃度がバラスト水中の水生生物や細菌類を殺滅するに十分なレベルに達するようになり、オゾン濃度検出部１１の検出結果が規定濃度を超えるようになると、制御部１４は、その検出結果を受けて、バラストポンプ４の運転を開始し、バラスト水の取水を開始する（Ｓ４）。
【００５６】
バラストポンプ４によって取水されたバラスト水は、やがて主配管３を通ってオゾン混合装置７を通過する。制御部１４は、バラストポンプ４の運転開始の後、続けてオゾン供給ライン６中の開閉弁１２を開状態とする一方、排オゾンライン１０中の開閉弁１３を閉状態とする。これにより、十分なオゾン濃度となったオゾンを、オゾン供給ライン６を介してオゾン混合装置７に供給し、主配管３中のバラスト水に混入させる（Ｓ５）。
【００５７】
このオゾン混合装置７においてバラスト水とオゾンとが混合されることで、バラスト水中の水生生物や細菌類の大部分は、オゾンの殺菌作用によって殺滅される。
【００５８】
また、オゾン混合装置７を経て所定濃度のオゾンが混合されたバラスト水は、次にスリット板８の開口８１を通過するため、バラスト水中に残存する水生生物や細菌類は、この開口８１を通過する際に発生する剪断力によって更に破壊されて殺滅される。
【００５９】
オゾン混合装置７によるバラスト水中へのオゾンの混入は、バラストポンプ４の運転によってバラスト水が取水されてバラストタンク２が満杯になるまで継続する（Ｓ６）。
【００６０】
やがて、バラストタンク２が満杯になると、バラスト水処理装置の運転は停止される。ここで制御部１４は、バラストポンプ４の運転を停止させ（Ｓ７）、続いてオゾン発生装置５を停止させ、バラスト水処理を終了させる（Ｓ８）。
【００６１】
このように、第１の実施形態によれば、オゾン発生装置５で生成されたオゾン濃度（ガス濃度）が規定濃度に至らず、未だバラスト水中の水生生物や細菌類を殺滅するに十分なレベルに達していない場合には、オゾン混合装置７にオゾンを供給しないように制御するので、バラスト水に不十分な低濃度のオゾンが混入されることがなく、バラスト水に対して常に安定して所定濃度のオゾンを混入することができる。これにより、バラスト水中の水生生物や細菌類を効果的に殺滅あるいは除去することができ、ＩＭＯ基準を満たすバラスト水をバラストタンク２内に貯留することができる。
【００６２】
図５は、バラスト水処理装置を有するバラスト水系配管の第２の実施形態を示す概略構成図である。図１と同一符号は同一構成を示しているので、詳細な説明は省略する。
【００６３】
この第２の実施形態では、オゾン供給ライン６に設けられたオゾン濃度検出部１１の他に、オゾン混合装置７からスリット板８に至る主配管３中を移送されるバラスト水中のオゾン濃度（液中濃度）を検出するオゾン濃度検出部１５を設けている。前者のオゾン濃度検出部１１が本発明におけるオゾン濃度検出部（I）であり、後者のオゾン濃度検出部１５が本発明におけるオゾン濃度検出部（II）である。
【００６４】
また、主配管３には、上記オゾン濃度検出部１５とスリット板８との間から分岐し、バラストポンプ４の一次側（入口側）に接続する返送ライン１６が設けられており、返送ライン１６の分岐部分とスリット板８との間の主配管３中及び返送ライン１６中に、それぞれ開閉弁１７、１８が設けられている。
【００６５】
ここで、第２の実施形態において、制御部１４は、更に、オゾン濃度検出部１５から送られるオゾン濃度（液中濃度）の検出信号を入力し、その入力されたオゾン濃度が、所定濃度に至っているか否か判断する。
【００６６】
このオゾン濃度（液中濃度）の規定濃度は、オゾン混合装置７の性能によっても異なってくるが、例えば０．５〜５ｐｐｍのうちから選ばれることができる。
【００６７】
そして、制御部１４は、各オゾン濃度検出部１１、１５によるオゾン濃度の判断結果に応じて、バラストポンプ４の運転開始の可否、各開閉弁１２、１３、１７及び１８の開閉を制御する。
【００６８】
次に、この第２の実施形態におけるバラスト水処理装置の起動制御について、図６のフローチャートを用いて説明する。
【００６９】
バラスト水処理装置の起動は、バラストタンク２内にバラスト水を取水する際に開始される。
【００７０】
いま、バラストポンプ４は運転停止状態にある。バラストポンプ４によってバラスト水を取水するに際し、まず、オゾン発生装置５が起動開始され、コンプレッサー５１、酸素発生器５２及びオゾン発生器５３がそれぞれ駆動することによりオゾンの生成が開始される（Ｓ１０）。
【００７１】
しかし、このオゾン発生装置５の起動当初は、未だオゾン生成量は十分なレベルまで達しておらず、これをオゾン混合装置７に供給してバラスト水と混合させたとしても、バラスト水中の水生生物や細菌類を殺滅するに十分なオゾン濃度のバラスト水を作り出すことはできない。
【００７２】
制御部１４は、オゾン発生装置５の起動開始直後から、オゾン濃度検出部１１から送られるオゾン濃度検出信号を監視し続け、オゾン濃度（ガス濃度）が、バラスト水を処理するのに必要な規定濃度に至っているか否かを判断している（Ｓ１１）。
【００７３】
その結果、オゾン発生装置５の起動当初では、未だオゾン濃度は規定濃度には至っていないため、制御部１４は、オゾン供給ライン６に設けられている開閉弁１２を閉状態として、オゾン混合装置７にオゾンが供給されないようにする。ここで、好ましくは、未だ低濃度のオゾンを処理するため、排オゾンライン１０に設けられている開閉弁１３を開状態とし、低濃度のオゾンを排オゾン分解塔９に移送して分解処理する（Ｓ１２）。
【００７４】
この排オゾン分解塔９へのオゾンの移送制御は、オゾン濃度検出部１１の検出結果が規定濃度を超えるようになるまで継続される。
【００７５】
所定時間が経過してオゾン発生装置５によって生成されたオゾン濃度（ガス濃度）がバラスト水中の水生生物や細菌類を殺滅するに十分なレベルに達するようになり、オゾン濃度検出部１１の検出結果が規定濃度に達するようになると、制御部１４は、その検出結果を受けて、バラストポンプ４の運転を開始し、バラスト水の取水を開始する（Ｓ１３）。
【００７６】
バラストポンプ４によって取水されたバラスト水は、やがて主配管３を通ってオゾン混合装置７を通過する。制御部１４は、バラストポンプ４の運転開始の後、続けてオゾン供給ライン６中の開閉弁１２を開状態とする一方、排オゾンライン１０中の開閉弁１３を閉状態とする。これにより、十分なオゾン濃度（ガス濃度）となったオゾンを、オゾン供給ライン６を介してオゾン混合装置６に供給する（Ｓ１４）。
【００７７】
これにより、オゾン供給ライン６から供給されるオゾンと主配管３中を移送されるバラスト水とがオゾン混合装置７において混合される。しかし、混合初期においては、このオゾン混合装置７を通過した後のバラスト水中のオゾン濃度は、未だ規定濃度（液中濃度）に至っていないことがある。これはオゾン発生装置５から送られるオゾン濃度が不安定であるからである。
【００７８】
オゾン供給ライン６からオゾンが供給され、主配管３中のバラスト水と混合されるようになると、制御部１４は、オゾン濃度検出部１５から送られるオゾン濃度検出信号の監視を開始し、その入力されたオゾン濃度（液中濃度）が、規定濃度に至ったか否か判断する（Ｓ１５）。
【００７９】
その結果、オゾン混入開始当初では、オゾン混合装置７の二次側のバラスト水中のオゾン濃度は未だ規定濃度とはなっていないため、制御部１４は、主配管３に設けられている開閉弁１７を閉状態とすると共に、返送ライン１６に設けられている開閉弁１８を開状態として、バラスト水をオゾン混合装置７の一次側（入口側）で、且つ、バラストポンプ４の一次側（入口側）に返送することにより、バラスト水をバラストタンク２に移送せずに主配管３と返送ライン１６との間で循環させる（Ｓ１６）。
【００８０】
このバラスト水の循環は、オゾン濃度検出部１５の検出結果が規定濃度に達するまで継続される。
【００８１】
所定時間が経過してオゾン混合装置７によって混合されるバラスト水中のオゾン濃度が安定し、オゾン濃度検出部１５の検出結果が規定濃度に至るようになると、制御部１４は、その検出結果を受けて、主配管３に設けられている開閉弁１７を開状態とすると共に、返送ライン１６に設けられている開閉弁１８を閉状態として、オゾン混合装置７を通過したバラスト水が主配管３中を通ってバラストタンク２に向けて移送されるようにする（Ｓ１７）。
【００８２】
このオゾン混合装置７においてバラスト水とオゾンとが混合されることで、バラスト水中の水生生物や細菌類の大部分は、オゾンの殺菌作用によって殺滅される。
【００８３】
また、オゾン混合装置７を経て所定濃度のオゾンが混合されたバラスト水は、次にスリット板８の開口８１を通過するため、バラスト水中に残存する水生生物や細菌類は、この開口８１を通過する際に発生する剪断力によって更に破壊されて殺滅される。
【００８４】
オゾン混合装置７によるバラスト水中へのオゾンの混入は、バラストポンプ４の運転によってバラスト水が取水されてバラストタンク２が満杯になるまで継続する（Ｓ１８）。
【００８５】
やがて、バラストタンク２が満杯になると、バラスト水処理装置の起動は停止される。ここで制御部１４は、バラストポンプ４の運転を停止させ（Ｓ１９）、続いてオゾン発生装置５を停止させ、バラスト水処理を終了させる（Ｓ２０）。
【００８６】
このように、第２の実施形態によれば、オゾン発生装置５で生成されたオゾン濃度（ガス濃度）が規定濃度に至っておらず、未だバラスト水中の水生生物や細菌類を殺滅するに十分なレベルに達していない場合には、オゾン混合装置７にオゾンを供給しないように制御すると共に、オゾン混合装置７からスリット板８に至るバラスト水中のオゾン濃度（液中濃度）が規定濃度に至っていない場合には、オゾン混合装置７以降のバラスト水をバラストタンク２に送らずに返送ライン１６との間で循環させるようにしたので、第１の実施形態に比べ、バラスト水に対してより安定して所定濃度のオゾンを混入することができるようになる。
【００８７】
図７は、バラスト水処理装置を有するバラスト水系配管の第３の実施形態を示す概略構成図である。図１、図２と同一符号は同一構成を示しているので、詳細な説明は省略する。
【００８８】
この第３の実施形態では、第２の実施形態において設けられていたオゾン混合装置５の二次側（出口側）のオゾン濃度検出部を有していない点で構成上相違している。
【００８９】
ここで、第３の実施形態において、制御部１４は、開閉弁１２を開状態にしてオゾン供給ライン６によってオゾン混合装置７にオゾンを供給した後の経過時間をカウントし、その経過時間が規定時間経過したか否かを判断するようになっている。
【００９０】
この規定時間とは、オゾン混合装置７から供給されたオゾンが主配管３中のバラスト水と混合し、十分に行き渡らせることができる程度の時間であり、例えば３０秒〜３分から選ばれることができる。
【００９１】
そして、制御部１４は、オゾン濃度検出部１１によるオゾン濃度（ガス濃度）の判断結果と上記経過時間のカウント結果に応じて、バラストポンプ４の運転開始の可否、各開閉弁１２、１３、１７及び１８の開閉を制御する。
【００９２】
なお、図中、１９は脱気タンクであり、オゾン混合装置７から主配管３中のバラスト水に混合されたオゾンのうちの余剰オゾンを脱気するために好ましく設けられる。この脱気タンク１９の容量は、バラストポンプ４を上記規定時間の間フル回転させたときに移送されるバラスト水を貯留可能な容量に設定されている。脱気タンク１９によって脱気された余剰のオゾンは、排オゾン分解塔９に送って分解された後に船外に排出されるようにすることも好ましい。この脱気タンク１９は、返送ライン１６中に設けることもできる。
【００９３】
次に、この第３の実施形態におけるバラスト水処理装置の起動制御について、図８のフローチャートを用いて説明する。
【００９４】
バラスト水処理装置の起動は、バラストタンク２内にバラスト水を取水する際に開始される。
【００９５】
いま、バラストポンプ４は運転停止状態にある。バラストポンプ４によってバラスト水を取水するに際し、まず、オゾン発生装置５が起動開始され、コンプレッサー５１、酸素発生器５２及びオゾン発生器５３がそれぞれ駆動することによりオゾンの生成が開始される（Ｓ３０）。
【００９６】
しかし、このオゾン発生装置５の起動当初は、未だオゾン生成量は十分なレベルまで達しておらず、これをオゾン混合装置７に供給してバラスト水と混合させたとしても、バラスト水中の水生生物や細菌類を殺滅するに十分なオゾン濃度のバラスト水を作り出すことはできない。
【００９７】
制御部１４は、オゾン発生装置５の起動開始直後から、オゾン濃度検出部１１から送られるオゾン濃度検出信号を監視し続け、オゾン濃度（ガス濃度）が、バラスト水を処理するのに必要な規定濃度に至っているか否かを判断している（Ｓ３１）。
【００９８】
その結果、オゾン発生装置５の起動当初では、未だオゾン濃度は規定濃度とはなっていないため、制御部１４は、オゾン供給ライン６に設けられている開閉弁１２を閉状態として、オゾン混合装置７にオゾンが供給されないようにする。ここで、好ましくは、未だ低濃度のオゾンを処理するため、排オゾンライン１０に設けられている開閉弁１３を開状態とし、低濃度のオゾンを排オゾン分解塔９に移送して分解処理する（Ｓ３２）。
【００９９】
この排オゾン分解塔９へのオゾンの移送制御は、オゾン濃度検出部１１の検出結果が規定濃度を超えるようになるまで継続される。
【０１００】
所定時間が経過してオゾン発生装置５によって生成されたオゾン濃度（ガス濃度）がバラスト水中の水生生物や細菌類を殺滅するに十分なレベルに達するようになり、オゾン濃度検出部１１の検出結果が規定濃度に達するようになると、制御部１４は、その検出結果を受けて、バラストポンプ４の運転を開始し、バラスト水の取水を開始する（Ｓ３３）。
【０１０１】
バラストポンプ４によって取水されたバラスト水は、やがて主配管３を通ってオゾン混合装置７を通過する。制御部１４は、バラストポンプ４の運転開始の後、続けてオゾン供給ライン６中の開閉弁１２を開状態とする一方、排オゾンライン１０中の開閉弁１３を閉状態とする。これにより、十分なオゾン濃度となったオゾンを、オゾン供給ライン６を介してオゾン混合装置６に供給する（Ｓ３４）。
【０１０２】
これにより、オゾン供給ライン６から供給されるオゾンと主配管３中を移送されるバラスト水とがオゾン混合装置７において混合される。しかし、混合初期においては、このオゾン混合装置７を通過した後のバラスト水中のオゾン濃度（液中濃度）は、未だ規定濃度に至っていないことがある。
【０１０３】
オゾン供給ライン６からオゾンが供給され、主配管３中のバラスト水と混合されるようになると、制御部１４は、開閉弁１２を開状態にしてオゾン供給ライン６によってオゾン混合装置７へのオゾンの供給を開始した後の経過時間をカウントし続け、規定時間経過したか否か判断する（Ｓ３５）。
【０１０４】
経過時間が規定時間まで経過していない間、制御部１４は、主配管３に設けられている開閉弁１７を閉状態とすると共に、返送ライン１６に設けられている開閉弁１８を開状態として、バラスト水をバラストポンプ４の一次側(入口側)に返送することにより、バラスト水をバラストタンク２に移送せずに主配管３と返送ライン１６との間で循環させる（Ｓ３６）。
【０１０５】
このとき、返送ライン１６を通ってバラストポンプ４に返送されるバラスト水中からは、脱気タンク１９を経由することにより余剰オゾンが除去されているため、バラストポンプ４に悪影響を与えることはない。
【０１０６】
やがて、規定時間が経過すると、制御部１４は、主配管３に設けられている開閉弁１７を開状態とすると共に、返送ライン１６に設けられている開閉弁１８を閉状態として、オゾン混合装置７を通過したバラスト水が主配管３中を通ってバラストタンク２に向けて移送されるようにする（Ｓ３７）。
【０１０７】
このオゾン混合装置７においてバラスト水とオゾンとが混合されることで、バラスト水中の水生生物や細菌類の大部分は、オゾンの殺菌作用によって殺滅される。
【０１０８】
また、オゾン混合装置７を経て所定濃度のオゾンが混合されたバラスト水は、次にスリット板８の開口８１を通過するため、バラスト水中に残存する水生生物や細菌類は、この開口８１を通過する際に発生する剪断力によって更に破壊されて殺滅される。
【０１０９】
オゾン混合装置７によるバラスト水中へのオゾンの混入は、バラストポンプ４の運転によってバラスト水が取水されてバラストタンク２が満杯になるまで継続する（Ｓ３８）。
【０１１０】
やがて、バラストタンク２が満杯になると、バラスト水処理装置の運転は停止される。ここで制御部１４は、バラストポンプ４の運転を停止させ（Ｓ３９）、続いてオゾン発生装置５を停止させ、バラスト水処理を終了させる（Ｓ４０）。
【０１１１】
このように、第３の実施形態によれば、オゾン発生装置５で生成されたオゾン濃度(ガス濃度)が規定濃度に至っておらず、未だバラスト水中の水生生物や細菌類を殺滅するに十分なレベルに達していない場合には、オゾン混合装置７にオゾンを供給しないように制御すると共に、オゾン混合装置７にオゾンを供給後、規定時間経過するまでは、オゾン混合装置７以降のバラスト水をバラストタンク２に送らずに返送ライン１６との間で循環させるようにしたので、第１の実施形態に比べ、バラスト水に対してより安定して所定濃度のオゾンを混入することができるようになる。
【０１１２】
また、第２の実施形態のように主配管３にオゾン濃度検出部１５を設ける必要がないので、制御部１４への信号配線を簡略化できる。
【０１１３】
以上の説明では、オゾン混合装置７の後に、バラスト水中の水生生物や細菌類を剪断力によって破壊するためのスリット板８が設けられた態様であるが、これに限定されず、スリット板８の後に、オゾン混合装置７が設けられた態様でもよい。
【０１１４】
また、オゾン混合装置７は、バラストポンプ４の一次側(入口側)に配置してもよい。この場合、第２の実施形態及び第３の実施形態における返送ライン１６は、このオゾン混合装置７の一次側(入口側)にバラスト水が返送されるように設けられる。
【図面の簡単な説明】
【０１１５】
【図１】バラスト水処理装置を有するバラスト水系配管の第１の実施形態を示す概略構成図
【図２】主配管内のスリット板を示す断面図
【図３】図２のIII−III線断面図
【図４】第１の実施形態におけるバラスト水処理装置の起動制御を説明するフローチャート
【図５】バラスト水処理装置を有するバラスト水系配管の第２の実施形態を示す概略構成図
【図６】第２の実施形態におけるバラスト水処理装置の起動制御を説明するフローチャート
【図７】バラスト水処理装置を有するバラスト水系配管の第３の実施形態を示す概略構成図
【図８】第３の実施形態におけるバラスト水処理装置の起動制御を説明するフローチャート
【符号の説明】
【０１１６】
１：船体
２：バラストタンク
３：主配管
４：バラストポンプ
５：オゾン発生装置
５１：コンプレッサー
５２：酸素発生器
５３：オゾン発生器
６：オゾン供給ライン
７：オゾン混合装置
８、８Ａ、８Ｂ：スリット板
８１：スリット状の開口
９：排オゾン分解塔
１０：排オゾンライン
１１：オゾン濃度検出部（I）
１２、１３：開閉弁
１４：制御部
１５：オゾン濃度検出部（II）
１６：返送ライン
１７、１８：開閉弁
１９：脱気タンク
【図１】
2008200590.tif 000004
【図２】
2008200590.tif 000005
【図３】
2008200590.tif 000006
【図４】
2008200590.tif 000007
【図５】
2008200590.tif 000008
【図６】
2008200590.tif 000009
【図７】
2008200590.tif 000010
【図８】
2008200590.tif 000011